(57)【要約】  【課題】  簡単な構成で異なる外径の配線を確実に固定することができる配線固定装置を提供すること。  【解決手段】  配線押え部材３に，該配線押え部材３とベース部材２との連結状態において前記配線押え部材３と前記ベース部材２との間の幅が異なる挟持部３２，３３が形成されている。前記配線押え部材３の挟持部３２或いは挟持部３３のいずれかを，選択的に前記ベース部材２に相対させることにより，前記ベース部材２と前記配線押え部材３との連結状態において電気配線を挟持する該ベース部材２と該配線押え部材３との間の幅を異ならせることが可能である。【選択図】図１
2007043869.tif 000002
【特許請求の範囲】
【請求項１】
連結されることにより配線を挟持する第１の挟持部材と第２の挟持部材とを備えてなる配線固定装置であって，
前記第１の挟持部材に，前記第１の挟持部材と前記第２の挟持部材との連結状態において前記第１の挟持部材と前記第２の挟持部材との間の幅が異なる複数の第１の挟持部が形成されてなることを特徴とする配線固定装置。
【請求項２】
前記第２の挟持部材に，前記第１の挟持部材と前記第２の挟持部材との連結状態において前記第１の挟持部材と前記第２の挟持部材との間の幅が異なる複数の第２の挟持部が形成されてなる請求項１に記載の配線固定装置。
【請求項３】
前記第１の挟持部材と前記第２の挟持部材との連結状態において相対する前記第１の挟持部及び／又は前記第２の挟持部が替えられることにより，前記第１の挟持部材と前記第２の挟持部材との間の幅を異ならせる請求項１又は２のいずれかに記載の配線固定装置。
【請求項４】
前記第１の挟持部材及び／又は前記第２の挟持部材に，折曲されることにより，前記第１の挟持部材と前記第２の挟持部材との連結状態において前記第１の挟持部材と前記第２の挟持部材との間の幅を異ならせる折曲部が設けられてなる請求項１又は２のいずれかに記載の配線固定装置。
【請求項５】
前記第１の挟持部材及び／又は前記第２の挟持部材に装着されることにより，前記第１の挟持部材と前記第２の挟持部材との連結状態において前記第１の挟持部材と前記第２の挟持部材との間の幅を異ならせる装着部材を更に備えてなる請求項１又は２のいずれかに記載の配線固定装置。
【請求項６】
空気調和機の室内機及び／又は室外機において配線の固定に用いられる請求項１〜５のいずれかに記載の配線固定装置。
【発明の詳細な説明】
【技術分野】
【０００１】
本発明は，配線を挟持して固定する配線固定装置に関し，特に，異なる外径の配線を固定することができる配線固定装置に関するものである。
【背景技術】
【０００２】
従来，空気調和機の室内機と室外機とを接続する電源線や信号線などの電気配線は，その室内機内や室外機内において，配線固定装置により挟持されて所定の位置に固定されている。前記電気配線の線数は，空気調和機のタイプに応じて，例えばインバータエアコンは４芯，冷房専用エアコンは３芯，ヒートポンプ式エアコンは５芯という具合に異なる。そのため，外径が異なる電気配線の固定を可能にして，タイプの異なる空気調和機で共通に使用できる配線固定装置が望まれている。そこで，特許文献１には，電気配線を挟持する挟持部の近傍にリブを設けることにより，挟持部の幅以下の径の電気配線を固定する場合であっても，そのリブによって電気配線を撓ませて離脱の防止を図ることができる配線固定装置（空気調和機の電線押え装置）が開示されている。
一方，特許文献２には，電気配線を挟持する挟持部に凹部を形成しておくことにより，異なる形状の電気配線を固定することのできる構造（空気調和機の内外渡り配線のクランプ構造）が提案されている。
【特許文献１】特開平１０−１４８３５９号公報
【特許文献２】特開平１０−２２９６２５号公報
【発明の開示】
【発明が解決しようとする課題】
【０００３】
しかしながら，前記特許文献１で開示されている配線固定装置では，径の細い電気配線は挟持部で確実に挟持されないため，固定強度が十分であるとは言い難い。一方，径の太い電気配線であれば，リブによって電気配線が必要以上に圧迫されて破損するおそれがあり，また，電気配線を圧迫しながらの固定作業となるため作業性の低下は否めない。
また，前記特許文献２の技術によれば，異なる形状の電気配線を固定することが可能であるが，使用される電気配線の形状に応じて一つの挟持部に複数の凹部を形成する必要があるため，挟持部の複雑化や挟持部のスペースの拡大化が問題となる。
従って，本発明は上記事情に鑑みてなされたものであり，その目的とするところは，簡単な構成で異なる外径の配線を確実に固定することができる配線固定装置を提供することにある。
【課題を解決するための手段】
【０００４】
上記目的を達成するために本発明は，連結されることにより配線を挟持する第１の挟持部材と第２の挟持部材とを備えてなる配線固定装置に適用されるものであって，前記第１の挟持部材に，前記第１の挟持部材と前記第２の挟持部材との連結状態において前記第１の挟持部材と前記第２の挟持部材との間の幅が異なる複数の第１の挟持部が形成されてなることを特徴とする配線固定装置として構成される。
本発明によれば，従来（特許文献２参照）のように一つの挟持部に複数の凹部を形成するという構成とは異なり，前記第１の挟持部材に形成された前記複数の第１の挟持部のいずれかを配線の外径に合わせて用いることによって，該配線を確実に固定することができるという簡単な構成を実現し得る。また，前記配線が必要以上に圧迫されないため，該配線の破損が防止されるだけでなく，固定作業の作業性も向上する。
さらに，前記第２の挟持部材に，前記第１の挟持部材と前記第２の挟持部材との連結状態において前記第１の挟持部材と前記第２の挟持部材との間の幅が異なる複数の第２の挟持部を形成する構成も考えられる。これにより，より多くの外径の異なる配線の固定に対応することが可能となる。
【０００５】
本発明の具体的な構成例としては，前記第１の挟持部材と前記第２の挟持部材との連結状態において相対する前記第１の挟持部や前記第２の挟持部が替えられることにより，前記第１の挟持部材と前記第２の挟持部材との間の幅を異ならせることができる構成が考えられる。例えば，前記第１の挟持部材或いは前記第２の挟持部材の表裏面に，形状の異なる前記第１の挟持部或いは前記第２の挟持部を形成しておき，該第１の挟持部材或いは該第２の挟持部材の表裏面を反転させて，前記第１の挟持部材と前記第２の挟持部材との連結状態において相対する前記第１の挟持部や前記第２の挟持部を替えることにより，容易に外径の異なる配線の固定に対応することが可能となる。
また，他の構成例として，前記第１の挟持部材や前記第２の挟持部材に，折曲されることにより，前記第１の挟持部材と前記第２の挟持部材との連結状態において前記第１の挟持部材と前記第２の挟持部材との間の幅を異ならせる折曲部を設ける構成も考えられる。
更に，前記第１の挟持部材や前記第２の挟持部材に装着されることにより，前記第１の挟持部材と前記第２の挟持部材との連結状態において前記第１の挟持部材と前記第２の挟持部材との間の幅を異ならせる装着部材を備える構成も考えられる。このような簡単な構成によっても，前記第１の挟持部材と前記第２の挟持部材との間の幅を異ならせることが可能であるため，外径の異なる配線を確実に固定することができる。
本発明は，例えば，空気調和機の室外機や室内機において配線の固定に用いられる配線固定装置に適用することにより，例えばインバータエアコンは４芯，冷房専用エアコンは３芯，ヒートポンプ式エアコンは５芯という具合に，空気調和機の仕様に応じて異なる配線を確実に固定することが可能である。
【発明の効果】
【０００６】
本発明によれば，従来（特許文献２参照）のように一つの挟持部に複数の凹部を形成するという構成とは異なり，前記第１の挟持部材に形成された前記複数の第１の挟持部のいずれかを配線の外径に合わせて用いることによって，該配線を確実に固定することができるという簡単な構成を実現し得る。また，前記配線が必要以上に圧迫されないため，該配線の破損が防止されるだけでなく，固定作業の作業性も向上する。
さらに，前記第２の挟持部材に，前記第１の挟持部材と前記第２の挟持部材との連結状態において前記第１の挟持部材と前記第２の挟持部材との間の幅が異なる複数の第２の挟持部を形成すれば，より多くの外径の異なる配線の固定に対応することが可能となる。
【発明を実施するための最良の形態】
【０００７】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
本実施の形態及び実施例では，空気調和機の室内機と室外機とを接続する電源線や信号線などの電気配線を該室外機において固定するために用いられる配線固定装置について説明する。
まず，図１及び図２を用いて，本発明の実施の形態に係る前記配線固定装置Ｘについて説明する。ここに，図１は本発明の実施の形態に係る配線固定装置Ｘの概略構成図であって，図１（ａ）は前記配線固定装置Ｘの分解斜視図，図１（ｂ）は前記配線固定装置Ｘの分解断面図，図２は配線固定装置Ｘの組み立て状態を示す図である。
図１に示すように，前記配線固定装置Ｘは，図外の空気調和機の室外機の本体筐体に形成されたベース取付部１と，該ベース取付部１に着脱可能であって前記電気配線が載置されるベース部材２（第２の挟持部材の一例）と，前記ベース部材２に連結されることにより該ベース部材２との間で前記電気配線を挟持する配線押え部材３（第１の挟持部材の一例）と，を備えて構成されている。なお，前記ベース部材２が前記ベース取付部１に一体形成される構成や，前記ベース部材２を省略して前記ベース取付部１と前記配線押え部材３との間で前記電気配線を挟持する構成が他の実施例として考えられ，この場合，前記ベース取付部１が，本発明に係る第２の挟持部材の一例に相当する。
【０００８】
続いて，図１を用いて，前記ベース取付部１，前記ベース部材２及び前記配線押え部材３各々について詳細に説明する。
前記ベース取付部１には，該ベース取付部１と前記ベース部材２と前記配線押え部材３とを連結するときに該ベース部材２及び該配線押え部材３に挿通されたボルト４（図２参照）が螺合される螺子穴１１と，前記ベース部材２の後述する係合部２２ａ及び２２ｂが係合される被係合部１２ａ及び１２ｂと，が形成されている。
前記ベース部材２には，前記ボルト４（図２参照）が挿通される挿通孔２１と，該ベース部材２を前記ベース取付部１に装着するときに該ベース取付部１の被係合部１２ａ及び１２ｂと係合する係合部２２ａ及び２２ｂと，前記配線押え部材３との連結状態において該配線押え部材３との間で前記電気配線を挟持する挟持部２３と，該挟持部２３に設けられ前記電気配線の滑りを防止するための突起２３ａと，前記電気配線の載置位置を規制するための規制部材２４と，が設けられている。
前記配線押え部材３には，前記ボルト４（図２参照）が挿通される挿通孔３１と，前記ベース部材２との連結状態において該ベース部材２との間で前記電気配線を挟持する挟持部３２及び３３（第１の挟持部の一例）と，が形成されている。前記挟持部３２は深さ寸法ｈ１の凹部であって，前記挟持部３３は前記挟持部３２の深さ寸法ｈ１よりも大きい深さ寸法ｈ２の凹部である。即ち，前記挟持部３２及び３３は，前記ベース部材２と前記配線押え部材３との連結状態において，該ベース部材２と該配線押え部材３との間の幅を異ならせるものである。
【０００９】
前記ベース取付部１の被係合部１２ａ及び１２ｂと前記ベース部材２の係合部２２ａ及び２２ｂとは，前記係合部２２ａが前記被係合部１２ａに嵌合された後，前記係合部２２ｂが前記被係合部１２ｂに係合されることにより，該ベース取付部１に該ベース部材２を仮固定するべく設けられたものであって，これにより，前記ベース取付部１と前記ベース部材２とが前記ボルト４で連結される前であっても作業者は前記ベース部材２を支持しながら前記電気配線を固定する必要が無いため作業性が向上する。
また，前記ベース部材２及び前記配線押え部材３に，相互に係合する係合部を設けておき，該係合部の係合により前記ベース部材２及び前記配線押え部材３を連結する構成も考えられる。このとき，前記ベース部材２及び前記配線押え部材３の係合，前記ベース取付部１の被係合部１２ａ，１２ｂ及び前記ベース部材２の係合部２２ａ，２２ｂの係合が強固となるように設計して，前記ボルト４を省略する構成も他の実施例として考えられる。
【００１０】
次に，図２を用いて，上述のように構成された前記ベース取付部１，前記ベース部材２及び前記配線押え部材３を有する前記配線固定装置Ｘの組み立て状態について説明する。
図２（ａ）及び図２（ｂ）に示すように，前記配線固定装置Ｘは，前記配線押え部材３の挿通孔３１及び前記ベース部材２の挿通孔２１に挿通された前記ボルト４が，前記ベース取付部１の螺子穴３２に螺合されることにより連結されて組み立てられる。
具体的には，図２（ａ）に示すように，前記配線押え部材３の挟持部３２が，前記ベース部材２に相対するように，該ベース部材２と該配線押え部材３とが連結されて前記配線固定装置Ｘが組み立てられると，該ベース部材２と該配線押え部材３との間には，前記挟持部３２の深さ寸法ｈ１と同等の幅の間隙が形成される。
これに対して，図２（ｂ）に示すように，前記配線押え部材３の表裏面が反転されることにより，前記ベース部材２と前記配線押え部材３との連結状態において相対する前記挟持部３２が前記挟持部３３に替えられた状態で，該配線押え部材３と該ベース部材２とが連結されて前記配線固定装置Ｘが組み立てられると，該配線押え部材３と該ベース部材２との間には，前記挟持部３３の深さ寸法ｈ２と同等の幅の間隙が形成される。
【００１１】
このように，前記配線固定装置Ｘでは，前記配線押え部材３の挟持部３２或いは挟持部３３のいずれかを，選択的に前記ベース部材２に相対させることにより，前記ベース部材２と前記配線押え部材３との連結状態において前記電気配線を挟持する該ベース部材２と該配線押え部材３との間の幅を異ならせることが可能である。即ち，前記配線固定装置Ｘを用いれば，外径の異なる電気配線を確実に固定することができる。また，前記配線固定装置Ｘでは，電気配線が必要以上に圧迫されないため，該電気配線の破損が防止されるだけでなく，固定作業の作業性も向上する。さらに，前記配線固定装置Ｘは，従来（特許文献２参照）のように一つの挟持部に複数の凹部を形成するという複雑な構成とは異なり，前記挟持部３２及び３３のいずれかを電気配線の外径に合わせて用いることによって，該電気配線を確実に固定することができるという簡単な構成である。
なお，本実施の形態では，前記配線押え部材３の表裏面に，前記ベース部材２と前記配線押え部材３との連結状態において該配線押え部材３と該ベース部材２との間の幅を異ならせる二つの挟持部３２及び３３が形成された構成について説明したが，更に，該配線押え部材３と該ベース部材２との間の幅を異ならせる挟持部を，該配線押え部材３の側面などに形成すれば，より多くの種別の電気配線の固定に用いることが可能となる。
【実施例１】
【００１２】
次に，図３及び図４を用いて，本発明の実施例に係る前記配線固定装置Ｘ１について説明する。ここに，図３は本発明の実施例１に係る配線固定装置Ｘ１の概略構成図であって，図３（ａ）は前記配線固定装置Ｘ１の分解斜視図，図３（ｂ）は前記配線固定装置Ｘ１の分解断面図，図４は配線固定装置Ｘ１の組み立て状態を示す図である。
図３に示すように，前記配線固定装置Ｘ１は，図外の空気調和機の室外機の本体筐体に形成されたベース取付部１０１と，該ベース取付部１０１に着脱可能であって前記電気配線が載置されるベース部材１０２（第１の挟持部材の一例）と，前記ベース部材１０２に連結されることにより該ベース部材１０２との間で前記電気配線を挟持する配線押え部材１０３（第２の挟持部材の一例）と，を備えて構成されている。
【００１３】
続いて，図３を用いて，前記ベース取付部１０１，前記ベース部材１０２及び前記配線押え部材１０３各々について詳細に説明する。
前記ベース取付部１０１には，該ベース取付部１０１と前記ベース部材１０２と前記配線押え部材１０３とを連結するときに該ベース部材１０２及び該配線押え部材１０３に挿通されたボルト１０４（図４参照）が螺合される螺子穴１１１と，前記ベース部材１０２の後述する係合部１２２ａ−１或いは１２２ａ―２が係合される被係合部１１２ａと，前記ベース部材１０２の後述する係合部１２２ｂ−１或いは１２２ｂ−２が係合される被係合部１１２ｂと，前記ベース部材１０２の後述する規制部材１２４ａ或いは１２４ｂが嵌挿される嵌挿口１１３と，前記ベース部材１０２の後述する挟持部１２３の凸部１２３ａが嵌挿される嵌挿口１１４と，が形成されている。
前記ベース部材１０２には，前記ボルト１０４（図４参照）が挿通される挿通孔１２１と，該ベース部材１０２を前記ベース取付部１０１に装着するときに該ベース取付部１の被係合部１１２ａに係合する係合部１２２ａ−１及び１２２ａ−２と，該ベース部材１０２を前記ベース取付部１０１に装着するときに該ベース取付部１の被係合部１１２ｂに係合する係合部１２２ｂ−１及び１２２ｂ−２と，前記電気配線の載置位置を規制するための規制部材１２４ａ及び１２４ｂと，前記配線押え部材１０３との連結状態において該配線押え部材１０３との間で前記電気配線を挟持する挟持部１２３及び１２５（第１の挟持部の一例）と，が設けられている。ここに，前記挟持部１２３における電気配線の載置部には凸部１２３ａが形成されているが，前記挟持部１２５における電気配線の載置部には凸部が形成されていない。即ち，前記挟持部１２３及び１２５は，前記ベース部材１０２と前記配線押え部材１０３との連結状態において，該ベース部材１０２と該配線押え部材１０３との間の幅を異ならせるものである。
前記配線押え部材１０３には，前記ボルト１０４（図４参照）が挿通される挿通孔１３１と，前記ベース部材１０２との連結状態において該べース部材１０２との間で前記電気配線を挟持する挟持部１３２と，が形成されている。
【００１４】
次に，図４を用いて，上述のように構成された前記ベース取付部１０１，前記ベース部材１０２及び前記配線押え部材１０３を有する前記配線固定装置Ｘ１の組み立て状態について説明する。
図４（ａ）及び図４（ｂ）に示すように，前記配線固定装置Ｘ１は，前記配線押え部材１０３の挿通孔１３１及び前記ベース部材１０２の挿通孔１２１に挿通された前記ボルト１０４が，前記ベース取付部１０１の螺子穴１３２に螺合されることにより連結されて組み立てられる。
具体的には，図４（ａ）に示すように，前記ベース部材１０２の挟持部１２３が，前記配線押え部材１０３に相対するように，該ベース部材１０２と該配線押え部材１０３とが連結されて前記配線固定装置Ｘ１が組み立てられると，該ベース部材１０２と該配線押え部材１０３との間には，前記挟持部１２３に形成された凸部１２３ａにより幅が狭められた幅寸法ｈ３の間隙が形成される。なお，このとき前記係合部１２２ａ−１が前記被係合部１１２ａに，前記係合部１２２ｂ−１が前記被係合部１１２ｂに係合され，前記ベース部材１０２の規制部材１２４ｂが前記ベース取付部１０１の嵌挿口１１３に嵌挿される。
これに対して，図４（ｂ）に示すように，前記ベース部材１０２の表裏面が反転されることにより，前記ベース部材２と前記配線押え部材３との連結状態において相対する前記挟持部１２３が前記挟持部１２５に替えられた状態で，該ベース部材１０２と該配線押え部材１０３とが連結されて前記配線固定装置Ｘ１が組み立てられると，該ベース部材１０２と該配線押え部材１０３との間には，前記幅寸法ｈ３よりも大きい幅寸法ｈ４の間隙が形成される。なお，このとき前記係合部１２２ａ−２が前記被係合部１１２ａに，前記係合部１２２ｂ−２が前記被係合部１１２ｂに係合され，前記ベース部材１０２の規制部材１２４ａが前記ベース取付部１０１の嵌挿口１１３に嵌挿される。また，前記ベース部材１０２の挟持部１２３の凸部１２３ａは，前記ベース取付部１０１の嵌挿口１１４に嵌挿される。
【００１５】
このように，前記配線固定装置Ｘ１では，前記ベース部材１０２の挟持部１２３或いは挟持部１２５のいずれかを，選択的に前記配線押え部材１０３に相対させることにより，前記ベース部材１０２と前記配線押え部材１０３との連結状態において前記電気配線を挟持する該ベース部材１０２と該配線押え部材１０３との間の幅を異ならせることが可能である。即ち，前記配線固定装置Ｘ１を用いれば，外径の異なる電気配線を確実に固定することができる。また，前記配線固定装置Ｘ１では，電気配線が必要以上に圧迫されないため，該電気配線の破損が防止されるだけでなく，固定作業の作業性も向上する。さらに，前記配線固定装置Ｘ１は，従来（特許文献２参照）のように一つの挟持部に複数の凹部を形成するという複雑な構成とは異なり，前記挟持部１２３及び１２５のいずれかを電気配線の外径に合わせて用いることによって，該電気配線を確実に固定することができるという簡単な構成である。
また，前記実施の形態で説明した前記配線固定装置Ｘの配線押え部材３（図１参照）と，本実施例１に係る前記配線固定装置Ｘ１のベース部材１０２（図３参照）と，を有する別の配線固定装置を構成することも考えられる。この場合，前記配線押え部材３の挟持部３２及び３３と前記ベース部材１０２の挟持部１２３及び１２５との組み合わせを変更することにより，更に多くの種別の外径の電気配線の固定に用いることが可能となる。
【実施例２】
【００１６】
ここでは，図５及び図６を用いて，本発明の実施例２に係る配線固定装置Ｘ２について説明する。ここに，図５は本発明の実施例２に係る配線固定装置Ｘ２の概略構成図であって，図５（ａ）は前記配線固定装置Ｘ２の分解斜視図，図５（ｂ）は前記配線固定装置Ｘ２の分解断面図，図６は前記配線固定装置Ｘ２の組み立て状態を示す断面図である。なお，前記実施の形態で説明した前記配線固定装置Ｘと同様の構成要素には，同じ符号を付してその説明を省略する。
図５に示すように，前記配線固定装置Ｘ２は，前記配線固定装置Ｘと同様のベース取付部１及びベース部材２（第２の挟持部材の一例）と，前記配線固定装置Ｘの配線押え部材３に代えて該ベース部材２との間で前記電気配線を挟持する配線押え部材２０３（第１の挟持部材の一例）と，を備えて構成されている。
前記配線押え部材２０３には，前記ボルト４が挿通される挿通孔２３１及び２３２と，前記ベース部材２との連結状態において該ベース部材２との間で前記電気配線を挟持する挟持部２３３（第１の挟持部の一例）と，折曲を容易にする切り欠き２３４で折曲されることにより前記配線押え部材２０３と前記ベース部材２との間に介在する折曲部２３５と，が形成されている。即ち，前記挟持部２３３は，前記折曲部２３５の折曲の有無により，前記ベース部材１０２と前記配線押え部材２０３との連結状態において，該ベース部材１０２と該配線押え部材２０３との間の幅を異ならせる複数の状態をなすものであり，第１の挟持部材の一例に相当する。
【００１７】
次に，図６を用いて，上述のように構成された前記ベース取付部１，前記ベース部材２及び前記配線押え部材２０３を有する前記配線固定装置Ｘ２の組み立て状態について説明する。
図６（ａ）に示すように，前記配線押え部材２０３の折曲部２３５が折曲されない状態で，前記配線押え部材２０３の挿通孔２３１及び前記ベース部材２の挿通孔２１に挿通された前記ボルト４が，前記ベース取付部１０１の螺子穴１３２に螺合されることにより連結されて前記配線固定装置Ｘ２が組み立てられると，該ベース部材２と該配線押え部材２０３との間には，幅寸法ｈ５の間隙が形成される。なお，このとき前記折曲部２３５は不要であるため，前記切り欠き部２３４で該折曲部２３５を切り離してもよい。
これに対して，図６（ｂ）に示すように，前記配線押え部材２０３の折曲部２３５が折曲された状態で，前記配線押え部材２０３の挿通孔２３１，２３２及び前記ベース部材２の挿通孔２１に挿通された前記ボルト４が，前記ベース取付部１０１の螺子穴１３２に螺合されることにより連結されて前記配線固定装置Ｘ２が組み立てられると，該ベース部材２と該配線押え部材２０３との間には，前記折曲部２３５が介在する。そのため，前記ベース部材２と前記配線押え部材２０３との間には，前記幅寸法ｈ５よりも大きい幅寸法ｈ６の間隙が形成される。
【００１８】
このように，前記配線固定装置Ｘ２では，前記配線押え部材２０３の折曲部２３５の折曲の有無により，前記配線押え部材２０３と前記ベース部材２との連結状態において前記電気配線を挟持する該配線押え部材２０３と該ベース部材２との間の幅を異ならせることが可能である。
即ち，前記配線固定装置Ｘ２を用いれば，外径の異なる電気配線を確実に固定することができる。また，前記配線固定装置Ｘ２では，電気配線が必要以上に圧迫されないため，該電気配線の破損が防止されるだけでなく，固定作業の作業性も向上する。さらに，前記配線固定装置Ｘ２は，従来（特許文献２参照）のように一つの挟持部に複数の凹部を形成するという複雑な構成とは異なり，前記配線押え部材２０３の折曲部２３５の折曲の有無を電気配線の外径に合わせて決定することによって，該電気配線を確実に固定することができるという簡単な構成である。
なお，本実施例２では，前記配線押え部材２０３に，前記折曲部２３５が形成される例について説明したが，折曲されることにより前記ベース部材２と前記配線押え部材２０３との間に介在して，該ベース部材２と該配線押え部材２０３との連結状態において前記ベース部材２と前記配線押え部材２０３との間の幅を異ならせる折曲部が，前記ベース部材２側に形成されることや，両者に共に形成されることも他の実施例として考えられる。
【実施例３】
【００１９】
ここでは，図７及び図８を用いて，本発明の実施例３に係る配線固定装置Ｘ３について説明する。ここに，図７は本発明の実施例３に係る配線固定装置Ｘ３の概略構成図であって，図７（ａ）は前記配線固定装置Ｘ３の分解斜視図，図７（ｂ）は前記配線固定装置Ｘ３の分解断面図，図８は前記配線固定装置Ｘ３の組み立て状態を示す断面図である。なお，前記実施の形態で説明した前記配線固定装置Ｘと同様の構成要素には，同じ符号を付してその説明を省略する。
図７に示すように，前記配線固定装置Ｘ２は，前記配線固定装置Ｘと同様のベース取付部１及びベース部材２（第２の挟持部材の一例）と，前記配線固定装置Ｘの配線押え部材３に代えて該ベース部材２との間で前記電気配線を挟持する配線押え部材３０３（第１の挟持部材の一例）と，前記配線押え部材３０３に着脱自在のスペーサー部材３０４（装着部材の一例）と，を備えて構成されている。
前記配線押え部材３０３には，前記ボルト４が挿通される挿通孔３３１と，前記ベース部材２との連結状態において該ベース部材２との間で前記電気配線を挟持する挟持部３３２（第１の挟持部の一例）と，が形成されている。
前記スペーサー部材３０４には，該スペーサー部材３０４を前記配線押え部材３０３に係合させて装着するための係合爪３４１が形成されている。
【００２０】
次に，図８を用いて，上述のように構成された前記ベース取付部１，前記ベース部材２，前記配線押え部材３０３及び前記スペーサー部材３０４を有する前記配線固定装置Ｘ３の組み立て状態について説明する。
当該配線固定装置Ｘ３では，前記配線押え部材３０３に装着されることにより前記配線押え部材３０３と前記ベース部材２との間に介在するスペーサー部材３０４の装着の有無に応じて該配線押え部材３０３と該ベース部材２との間の幅が異なる。
具体的には，図８（ｂ）に示すように，前記配線押え部材３０３に前記スペーサー部材３０４が装着されない状態で，該配線押え部材３０３と前記ベース部材２とが連結されて前記配線固定装置Ｘ３が組み立てられると，該ベース部材２と該配線押え部材３０３との間には，幅寸法ｈ７の間隙が形成される。
これに対して，図８（a）に示すように，前記配線押え部材３０３に前記スペーサー部材３０４が装着された状態で，該配線押え部材３０３と前記ベース部材２とが連結されて前記配線固定装置Ｘ３が組み立てられると，該ベース部材２と該配線押え部材３０３との間には，前記スペーサ部材３０４が介在する。そのため，前記ベース部材２と前記配線押え部材３０３との間には，前記幅寸法ｈ７よりも小さい幅寸法ｈ８の間隙が形成される。
【００２１】
このように，前記配線固定装置Ｘ３では，前記配線押え部材３０３に対する前記スペーサー部材３０４の装着の有無により，前記配線押え部材３０３と前記ベース部材２との連結状態において前記電気配線を挟持する該配線押え部材３０３と該ベース部材２との間の幅を異ならせることが可能である。ここに，前記挟持部３３２は，前記スペーサー部材３０４の装着の有無により，前記ベース部材２と前記配線押え部材３０３との連結状態において，該ベース部材２と該配線押え部材３０３との間の幅を異ならせる複数の状態をなすものであり，第１の挟持部材の一例に相当する。
即ち，前記配線固定装置Ｘ３を用いれば，外径の異なる電気配線を確実に固定することができる。また，前記配線固定装置Ｘ３では，電気配線が必要以上に圧迫されないため，該電気配線の破損が防止されるだけでなく，固定作業の作業性も向上する。さらに，前記配線固定装置Ｘ３は，従来（特許文献２参照）のように一つの挟持部に複数の凹部を形成するという複雑な構成とは異なり，前記スペーサー部材３０４の装着の有無を電気配線の外径に合わせて決定することによって，該電気配線を確実に固定することができるという簡単な構成である。
なお，本実施例３では，前記配線押え部材３０３に装着自在な前記スペーサー部材３０４を備える構成について説明したが，前記ベース部材２側に装着されることにより該ベース部材２と前記配線押え部材３０３との間に介在して，該ベース部材２と該配線押え部材３０３との連結状態において前記ベース部材２と前記配線押え部材３０３との間の幅を異ならせるスペーサー部材を備える構成や，両者を共に備える構成も他の実施例として考えられる。
【図面の簡単な説明】
【００２２】
【図１】本発明の実施の形態に係る配線固定装置Ｘの概略構成図。
【図２】本発明の実施の形態に係る配線固定装置Ｘの組み立て状態を示す図。
【図３】本発明の実施例１に係る配線固定装置Ｘ１の概略構成図。
【図４】本発明の実施例１に係る配線固定装置Ｘ１の組み立て状態を示す図。
【図５】本発明の実施例２に係る配線固定装置Ｘ２の概略構成図。
【図６】本発明の実施例２に係る配線固定装置Ｘ２の組み立て状態を示す図。
【図７】本発明の実施例３に係る配線固定装置Ｘ３の概略構成図。
【図８】本発明の実施例３に係る配線固定装置Ｘ３の組み立て状態を示す図。
【符号の説明】
【００２３】
１，１０１…ベース取付部
２，１０２…ベース部材
３，１０３，２０３，３０３…配線押え部材
４，１０４…ボルト
１１，１１１…螺子穴
１２ａ，１２ｂ，１１２ａ，１１２ｂ…被係合部
２１，３１，１２１，１３１，２３１，２３２，３３１…挿通孔
２２ａ，２２ｂ，１２２ａ−１，１２２ａ―２，１２２ｂ−１，１１２ｂ−２…係合部
２３，３２，３３，１２３，１２５，１３２，２３３，３３２…挟持部
２４，１２４ａ，１２４ｂ…規制部材
２３４…切り欠き
２３５…折曲部
３０４…スペーサー部材（装着部材の一例）
３４１…係合爪
【図１】
2007043869.tif 000003
【図２】
2007043869.tif 000004
【図３】
2007043869.tif 000005
【図４】
2007043869.tif 000006
【図５】
2007043869.tif 000007
【図６】
2007043869.tif 000008
【図７】
2007043869.tif 000009
【図８】
2007043869.tif 000010